(57)【要約】      （修正有）【課題】ベッドや靴箱、本棚、サイドボードといった家具などに設置される局部照明に適した照明ユニットを提供する。【解決手段】照明ユニット１０は、相手方部材１００の孔部１１０に挿入することによって固定される取付け部２０と鍔形部３０とを有する。取付け部２０の設置箇所では、鍔形部３０が、孔部１１０の周辺部に位置する相手方部材の表面である孔縁面１０１に対して重なり状態に配備される。鍔形部３０に突起３３や環状の段付部を設けることによって、鍔形部３０の外周部分に、孔縁面１０１に当接しない非接触域３２を形成する。孔縁面１０１と鍔形部３０の非接触域３２との対向間隔を０．４〜０．８ｍｍに定める。【選択図】図４
0003224707.tif 000002
【実用新案登録請求の範囲】
【請求項１】
相手方部材の孔部に挿入することによって固定される取付け部とこの取付け部に具備された鍔形部とを有し、上記取付け部が上記孔部に挿入されて固定された設置状態では、上記鍔形部が、上記孔部の周辺部に位置する相手方部材の表面である孔縁面に対して重なり状態に配備される照明ユニットであって、
上記鍔形部の外周部分に、上記重なり状態で上記孔縁面に当接しない非接触域が形成されていることを特徴とする照明ユニット。
【請求項２】
上記鍔形部に上記孔縁面に当接される突起を設けることによって上記非接触域が形成されている請求項１に記載した照明ユニット。
【請求項３】
上記鍔形部に上記孔縁面に当接される環状の段付部を設けることによって上記非接触域が形成されている請求項１に記載した照明ユニット。
【請求項４】
上記孔縁面と鍔形部に形成される上記非接触域との対向間隔が、手指の爪先の厚さ寸法に見合う寸法に定められている請求項１ないし請求項３のいずれか１項に記載した照明ユニット。
【請求項５】
上記孔縁面と鍔形部に形成される上記非接触域との対向間隔が０．４〜０．８ｍｍに定められている請求項１ないし請求項４のいずれか１項に記載した照明ユニット。
【考案の詳細な説明】
【技術分野】
【０００１】
本考案は、照明ユニット、特に、ベッドや靴箱、本棚、サイドボードといった家具などに設置される局部照明に適した照明ユニットに関する。
【背景技術】
【０００２】
この種の照明ユニットは、ベッド宮棚やサイドボードの枠板といった取り付けのための相手方部材に取り付けて設置されることが多く、取付け構造として、相手方部材にビス止めして設置するようにした先行例（露出型の先行例）や、相手方部材の孔部に埋め込み状に取り付けて設置するようにした先行例（埋め込み型の先行例）が知られている（特許文献１、特許文献２参照）。
【０００３】
ここで掲げた先行例のうち、特許文献１には、埋め込み型の家具用照明器具として、ＬＥＤ光源を収容した筐体に発光窓を具備させ、かつ、その筐体を保持しているホルダーが筒部と鍔部とを有するものが開示されている。そして、この埋め込み型の家具用照明器具の設置箇所では、家具用照明器具が、相手方部材としての取付け部材に開設した円形孔にホルダーの筒部を圧入状に挿入することによって固定されていると共に、ホルダーの鍔部の全体が、上記円形孔の周囲で、取付け部材の表面に対して重なり状態で当接している。
【０００４】
他の先行例である特許文献２には、光源ユニットを収納した装置本体に鍔形のフランジ部を具備させてなる照明装置についての記述がある。そして、この照明装置の設置箇所では、照明装置が、被取付け部の埋め込み孔に装置本体を挿入することによってバネ力で固定されていると共に、鍔形のフランジ部の全体が、上記埋め込み孔の周囲で、被取付け部の表面に対して重なり状態で当接している。したがって、この照明装置は埋め込み型であると云える。
【０００５】
一方、上記したような埋め込み型の照明用器具又は照明装置では。ＬＥＤなどの光源や光源を搭載した制御基板などに生じた不具合によって満足のいく照明作用が発揮されなくなるという事態が起こったときに、照明用器具又は照明装置を設置箇所から取り外して交換する必要が生じる。
【先行技術文献】
【特許文献】
【０００６】
【特許文献１】実用新案登録第３０９９０４１号公報（図２，図４）
【特許文献２】実用新案登録第３１６２９５１号公報
【考案の概要】
【考案が解決しようとする課題】
【０００７】
上掲の先行例のうち、特許文献１によって開示されている埋め込み型の照明用器具では、その設置箇所で、ホルダーの鍔部の全体が、上記円形孔の周囲で、取付け部材の表面に対して重なり状態で当接している。同様に、特許文献２によって開示されている埋め込み型の照明装置でも、その設置箇所で、鍔形のフランジ部の全体が、上記埋め込み孔の周囲で、被取付け部の表面に対して重なり状態で当接している。このため、特許文献１や特許文献２によって開示されている埋め込み型の照明用器具又は照明装置では、外観上、鍔部やフランジ部と相手方部材との相互間に隙間が存在していない。このことにより設置箇所が綺麗に仕上がるという利点がある。
【０００８】
しかしながら、上記したように照明用器具又は照明装置を設置箇所から取り外して交換する必要が生じたときには、次に説明するような問題の起こる可能性がある。
【０００９】
すなわち、特許文献１の埋め込み型の照明用器具について云えば、円形孔に挿入することによって固定されているホルダーの筒部を引き出して取り外すときに、ホルダーの鍔部の全体と相手方部材の表面とが当接しているので、両者間に手指の爪先や薄手のカードなどを差し込むことが困難なために、取付け部材の円形孔に圧入状に挿入されているホルダーの筒部を円形孔から容易に引き出すことができない。そこで、ドライバービット先端ををホルダーの鍔部と相手方部材の表面との間に分け入らせて筒部を引き出すことが有益であるとも考えられる。しかし、そのようにすると、相手方部材が木製の場合に、相手方部材をドライバービット先端で傷付てしまうおそれがある。これと同様の問題は、特許文献２の埋め込み型の照明装置についても存在する。
【００１０】
本考案は、以上の状況に鑑みてなされたもので、取付け部と鍔型部とを有する埋め込み型の照明ユニットに関し、手指の爪先を使用したり薄手のカードを用いたりするだけで、相手方部材の孔部に挿入することによって固定されている取付け部を、相手方部材を傷付けることなく孔部から容易に引き出して取り外すことができるにもかかわらず、相手方部材と鍔形部とが、外観上はあたかも当接しているように見え、しかも、相手方部材と鍔形部との隙間からの光漏れも生じないようにすることのできる照明ユニットを提供することを目的としている。
【課題を解決するための手段】
【００１１】
本考案に係る照明ユニットは、相手方部材の孔部に挿入することによって固定される取付け部とこの取付け部に具備された鍔形部とを有し、上記取付け部が上記孔部に挿入されて固定された設置状態では、上記鍔形部が、上記孔部の周辺部に位置する相手方部材の表面である孔縁面に対して重なり状態に配備される照明ユニットであって、上記鍔形部の外周部分に、上記重なり状態で上記孔縁面に当接しない非接触域が形成されている、というものである。
【００１２】
このように構成された照明ユニットによれば、鍔形部の外周部分の非接触域に手指の爪先を差し込むという操作を通じて、相手方部材の孔部に挿入することによって固定されている取付け部を、相手方部材を傷付けることなく容易に引き出すことが可能になる。また、鍔形部の外周部分の非接触域と相手方部材の孔縁面との隙間の広さを適切に定めておくことによって、相手方部材の孔縁面と鍔形部の外周部分の非接触域とが、外観上はあたかも当接しているように見え、しかも、相手方部材と鍔形部との隙間からの光漏れも生じないようになる。
【００１３】
本考案では、上記鍔形部に上記孔縁面に当接される突起を設けることによって上記非接触域が形成されている、という構成を採用したり、上記鍔形部に上記孔縁面に当接される環状の段付部を設けることによって上記非接触域が形成されている、という構成を採用することが可能である。これらの構成を採用する場合に、突起や段付部の高さを適切に定めておくと、手指の爪先を用いて相手方部材を傷付けることなく取付け部を容易に孔部から引き出すことが可能になり、また、相手方部材の孔縁面と鍔形部の外周部分の非接触域とが、外観上はあたかも当接しているように見え、しかも、相手方部材と鍔形部との隙間からの光漏れも生じないようになる。
【００１４】
本考案においては、上記孔縁面と鍔形部に形成される上記非接触域との対向間隔が、手指の爪先の厚さ寸法に見合う寸法に定められているっことが望ましく、具体的には、上記孔縁面と鍔形部に形成される上記非接触域との対向間隔が０．４〜０．８ｍｍに定められていることが望ましい。これによれば、手指の爪先や当該爪先と同程度の厚さの薄手のカードを用いて相手方部材を傷付けることなく取付け部を容易に孔部から引き出すことが可能になり、また、相手方部材の孔縁面と鍔形部の外周部分の非接触域とが、外観上はあたかも当接しているように見え、しかも、相手方部材と鍔形部との隙間からの光漏れも生じないようになる。
【考案の効果】
【００１５】
本考案に係る照明ユニットによれば、設置箇所では、相手方部材と鍔形部とが、外観上はあたかも当接しているように見え、しかも、相手方部材と鍔形部との隙間からの光漏れも生じないようにすることが可能であるにもかかわらず、手指の爪先を使用したり薄手のカードを用いたりするだけで、相手方部材の孔部に挿入することによって固定されている取付け部を、相手方部材を傷付けることなく孔部から容易に引き出して取り外すことができる。したがって、照明ユニットの設置状態が綺麗に見え、しかも、照明ユニットを設置箇所から取り外して交換する必要が生じたときにも、相手方部材を傷付けることなく、しかも、余分な工具を用いることなく、容易に取り外し作業を行うことができるようになる。
【図面の簡単な説明】
【００１６】
【図１】本考案の実施形態に係る照明ユニットの外観斜視図である。
【図２】同照明ユニットの平面図である。
【図３】同照明ユニットの発光窓を示した説明図である。
【図４】同照明ユニットの設置箇所の縦断面図である。
【図５】図４のＶ部拡大図である。
【図６】取り外し作業の説明図である。
【図７】本考案の他の実施形態に係る照明ユニットの概略側面図である。
【図８】同照明ユニットの平面図である。
【図９】同照明ユニットの設置箇所の縦断面図である。
【図１０】図９のＸ部拡大図である。
【考案を実施するための形態】
【００１７】
図１は本考案の実施形態に係る照明ユニット１０の外観斜視図、図２は同照明ユニット１０の平面図、図３は同照明ユニット１０の発光窓を示した説明図、図４は同照明ユニット１０の設置箇所の縦断面図、図５は図４のＶ部拡大図、図６は取り外し作業の説明図である。
【００１８】
図１又は図２のように、照明ユニット１０は、円筒状の外観を有する取付け部２０と、この取付け部２０の一端部に具備された鍔形部３０とを有している。取付け部２０は、光源としてのＬＥＤ素子２６（図３参照）が実装された制御基板を収容していて、この制御基板に接続されたリード線２１が、取付け部２０の他端部を塞いでいる円板状のキャップ２２の引出し孔２３を通して外部に引き出されている。円筒状の取付け部２０の一端部側に舌片状の弾性片２４が備わっていて、この弾性片２４の表面には鋸歯状の係止部２５が形成されている。図２によって類推できるように、係止部２５を有する弾性片２４は、円筒状の取付け部２０の一端部側で周方向に１８０度隔てた２箇所に設けられている。
【００１９】
鍔形部３０は、取付け部２０と同心位置に位置していて、取付け部２０の外側に張り出した円板形に形成されている。そして、この鍔形部３０は透明な樹脂成形体でなり、図３に示したように、中央部に上記した複数個のＬＥＤ素子２６が臨み、かつ、光散乱作用を発揮するレンズでなる円形の発光領域３１が形成されている。
【００２０】
図４のように、この照明ユニット１０は、木製の相手方部材１００に備わっている取付け孔としての円形の孔部１１０に取付け部２０を圧入状に挿入することによって相手方部材１００に固定されるようになっていて、上記孔部１１０内では、取付け部２０の弾性片２４に備わっている係止部２５が、孔部１１０の内周面に噛み合い状に弾接している。このため、照明ユニット１０は、外力が加えられない限り、取付け部２０を介して相手方部材１００の孔部１１０に容易に抜け出さないように固定されている。この実施形態では、取付け部２０の一端部側の複数箇所に縦長のリブ２７が設けられていて、これらのリブ２７が取付け部２０と共に孔部１１０の内周面に圧接することによって、孔部１１０に圧入状に挿入された取付け部２０のがたつきを抑制して相手方部材１００への固定状態を安定させることに役立っている。
【００２１】
上記のように取付け部２０が相手方部材１００の孔部１１０に挿入されて固定された設置状態では、鍔形部３０が、孔部１１０の周辺部に位置する相手方部材１００の表面である孔縁面１０１に対して重なり状態に配備される。
【００２２】
本考案の実施形態に係る照明ユニット１０では、照明ユニット１０を相手方部材１００から取り外す際の便宜のために、次に説明する工夫が講じられている。すなわち、図４又は図５によって明らかなように、鍔形部３０の外周部分に、上記孔縁面１０１に対する重なり状態で当該孔縁面１０１に当接しない非接触域３２が形成されている。この非接触域３２は、鍔形部３０に所定高さ寸法の突起３３を設けておき、上記したように、相手方部材１００の円形の孔部１１０に取付け部２０を圧入状に挿入することによって相手方部材１００に固定するときに、この突起３３を上記孔縁面１０１に当接させることによって形成されている。図１又は図２のように、この実施形態では、突起３３が、鍔形部３０の等角度おきの周方向２箇所で、かつ、上記取付け部２０に近接する位置に一体に設けられている。突起３３の数や位置をこのように定めておくと、当該照明ユニット１０を相手方部材１００に設置したときに、図５に示した孔縁面１０１と鍔形部３０の非接触域３２との対向間隔Ｓが鍔形部３０の周方向で一様になりやすいという利点や、鍔形部３０の非接触域３２の奥行き幅（鍔形部３０の外周縁から突起３３までの半径方向長さ）を広く確保できるという利点がある。
【００２３】
上記したように、照明ユニット１０を相手方部材１００に設置したときに、図５に示したように鍔形部３０に非接触域３２が形成されていると、たとえば図６に仮想線で示したように、孔縁面１０１と鍔形部３０の非接触域３２との対向間隔Ｓに手指の爪先Ｎを差し込む操作や、差し込んだ爪先Ｎを通じて取付け部２０に相手方部材１００の孔部１１０から引き抜く方向の力を加えたりする操作を、孔縁面１０１を傷付けることなく容易に行うことができるので、そのような操作を行うことによって取付け部２０を相手方部材１００の孔部１１０から引き出して照明ユニット１０を容易に取り外すことが可能になる。
【００２４】
相手方部材１００に設置されている照明ユニット１０を取り外す方法としては、ドライバービットを上記対向間隔Ｓに差し込んで行う方法も考えられるけれども、そのようにすると、相手方部材１００が木製であるようなときには、相手方部材１００を傷付けてしまうおそれがあるけれども、上記のように手指の爪先Ｎを使うとそのようなおそれがなくなる。爪先Ｎの代わりに薄手のカードを用いることも可能である。このことから、孔縁面１０１と鍔形部３０の非接触域３２との対向間隔Ｓは、手指の爪先Ｎの厚さ寸法に見合う寸法に定められていることが望ましく、具体的には、対向間隔Ｓが０．４〜０．８ｍｍに定められていることが望ましい。そして、対向間隔Ｓが０．４〜０．８ｍｍに定められていると、相手方部材１００と鍔形部３０とが外観上はあたかも当接しているように見え、しかも、実施形態のように鍔形部３０が透明な樹脂成形体で作られているとしても相手方部材１００と鍔形部３０との隙間である対向間隔Ｓからの光漏れも生じにくい。なお、対向間隔Ｓが、０．４ｍｍよりも狭いと、爪先Ｎを差し込みにくくなることが懸念され、０．８ｍｍよりも広いと光漏れを生じやすくなる。そして、対向間隔Ｓが０．４〜０．８ｍｍであると、爪先Ｎを差し込みやすく、光漏れも生じにくい。
【００２５】
以上説明した実施形態では、鍔形部３０の外周部分に、相手方部材１００の孔縁面１０１に当接しない非接触域３２を形成する手段として、鍔形部３０に突起３３を設けた事例を説明したけれども、この点は他の手段、たとえば鍔形部３０に段付部を設けることによっても鍔形部３０に非接触域３２を形成することが可能である。この事例を次の他の実施形態によって説明する。
【００２６】
図７は本考案の他の実施形態に係る照明ユニット１０の概略側面図、図８は同照明ユニット１０の平面図、図９は同照明ユニット１０の設置箇所の縦断面図、図１０は図９のＸ部拡大図である。
【００２７】
図７又は図８のように、照明ユニット１０は、円筒状の外観を有する偏平な取付け部２０と、この取付け部２０の一端部に具備された鍔形部３０とを有していて、取付け部２０と鍔形部３０とは、金属又は樹脂で一体に製作されている。鍔形部３０は、取付け部２０と同心位置に位置していて、取付け部２０の外側に張り出した円板形に形成されている。そして、鍔形部３０の中央部に、光散乱作用を発揮するレンズでなる円形の発光領域３１が具備されている。
【００２８】
取付け部２０には複数のボルト４１を介して円形の台座部４０が固定されていると共に、この台座部４０に、一対の立上り片４３を両端部に有する帯板状のバネ板４２が取り付けられている。このバネ板４２は、上記した複数のボルト４１のうちの２つのボルト４１を用いて台座部４０に固定されている。取付け部２０は、光源としてのＬＥＤ素子が実装された制御基板を収容していて、この制御基板に接続されたリード線が、取付け部２０及び台座部４０の引出し孔２３を通して外部に引き出されるようになっている。
【００２９】
図９のように、この照明ユニット１０は、木製の相手方部材１００に備わっている取付け孔としての円形の孔部１１０に取付け部２０を圧入状に挿入することによって相手方部材１００に固定されるようになっていて、上記孔部１１０内では、バネ板４２の一対の立上り片４３が、孔部１１０の内周面に弾接している。このため、照明ユニット１０は、外力が加えられない限り、取付け部２０を介して相手方部材１００の孔部１１０に容易に抜け出さないように固定されている。この実施形態では、孔部１１０の内周面に弾接しているバネ板４２の一対の立上り片４３が、孔部１１０に挿入された取付け部２０のがたつきを抑制して相手方部材１００への固定状態を安定させることに役立っている。
【００３０】
上記のように取付け部２０が相手方部材１００の孔部１１０に挿入されて固定された設置状態では、図９のように、鍔形部３０が、孔部１１０の周辺部に位置する相手方部材１００の表面である孔縁面１０１に対して重なり状態に配備される。
【００３１】
この実施形態に係る照明ユニット１０では、照明ユニット１０を相手方部材１００から取り外す際の便宜のために、鍔形部３０の外周部分に、上記孔縁面１０１に対する重なり位置で当該孔縁面１０１に当接しない非接触域３２が形成されている。
【００３２】
図９又は図１０によって明らかなように、上記非接触域３２は、鍔形部３０に所定高さ寸法の環状の段付部３４を一体に設けておき、上記したように、相手方部材１００の円形の孔部１１０に取付け部２０を圧入状に挿入することによって相手方部材１００に固定するときに、この段付部３４を上記孔縁面１０１に当接させることによって形成されている。図８のように、この実施形態では、段付部３４が、鍔形部３０と同心状に取付け部２０に近接する位置に一体に設けられている。段付部３４をこのように環状に形成しておくと、当該照明ユニット１０を相手方部材１００に設置したときに、図１０に示した孔縁面１０１と鍔形部３０の非接触域３２との対向間隔Ｓが鍔形部３０の周方向で一様になりやすいという利点や、鍔形部３０の非接触域３２の奥行き幅（鍔形部３０の外周縁から段付部３４までの半径方向長さ）を広く確保できるという利点がある。
【００３３】
上記したように、照明ユニット１０を相手方部材１００に設置したときに、図９又は図１０に示したように鍔形部３０に非接触域３２が形成されていると、図６を参照して説明したところと同様に、孔縁面１０１と鍔形部３０の非接触域３２との対向間隔Ｓに手指の爪先を差し込む操作や、差し込んだ爪先を通じて取付け部２０に相手方部材１００の孔部１１０から引き抜く方向の力を加えたりする操作を、孔縁面１０１を傷付けることなく容易に行うことができるので、そのような操作を行うことによって取付け部２０を相手方部材１００の孔部１１０から引き出して照明ユニット１０を容易に取り外すことが可能になる。爪先の代わりに薄手のカードを用いることも可能である。このことから、孔縁面１０１と鍔形部３０の非接触域３２との対向間隔Ｓは、既述したように、手指の爪先の厚さ寸法に見合う寸法に定められていることが望ましく、具体的には、対向間隔Ｓが０．４〜０．８ｍｍに定められていることが望ましい。そして、対向間隔Ｓが０．４〜０．８ｍｍに定められていると、相手方部材１００と鍔形部３０とが外観上はあたかも当接しているように見え、しかも、相手方部材１００と鍔形部３０との隙間である対向間隔Ｓからの光漏れも生じにくい。なお、対向間隔Ｓが、０．４ｍｍよりも狭いと、爪先Ｎを差し込みにくくなることが懸念され、０．８ｍｍよりも広いと光漏れを生じやすくなる。そして、対向間隔Ｓが０．４〜０．８ｍｍであると、爪先Ｎを差し込みやすく、光漏れも生じにくい。
【００３４】
図１〜図６及び図７〜図１０を参照して説明した各実施形態では、便宜上、同一又は相応する要素に同一の符号を付した。
【符号の説明】
【００３５】
１０  照明ユニット
２０  取付け部
３０  鍔形部
３２  非接触域
３３  突起
３４  段付部
１００  相手方部材
１０１  孔縁面
１１０  孔部
Ｓ  孔縁面と鍔形部の非接触域との対向間隔
【図１】
0003224707.tif 000003
【図２】
0003224707.tif 000004
【図３】
0003224707.tif 000005
【図４】
0003224707.tif 000006
【図５】
0003224707.tif 000007
【図６】
0003224707.tif 000008
【図７】
0003224707.tif 000009
【図８】
0003224707.tif 000010
【図９】
0003224707.tif 000011
【図１０】
0003224707.tif 000012